(57)【要約】【課題】温度の低い方の空気及び温度の高い方の空気を毛髪の所望する部位に集中的に当てることができるヘアドライヤを提供する。【解決手段】内側流路２及び該内側流路２を囲む外側流路３を有する。内側流路２を流れる空気と、外側流路３を流れる空気との間に、温度差があるモードを備える。内側流路２を流れる空気の吐出部を先端が細くなった内側ノズル４とする。外側流路３を流れる空気の吐出部を先端が細くなった外側ノズル５とする。【選択図】        図１
2005000546.tif 000002
【特許請求の範囲】
【請求項１】
内側流路及び該内側流路を囲む外側流路を有し、内側流路を流れる空気と外側流路を流れる空気との間に温度差があるモードを備えたヘアドライヤであって、内側流路を流れる空気の吐出部を先端が細くなった内側ノズルとし、外側流路を流れる空気の吐出部を先端が細くなった外側ノズルとしてなることを特徴とするヘアドライヤ。
【請求項２】
両ノズルのうち、温度の高い方の空気を吐出するノズルを他方のノズルよりも吐出方向に突出してなることを特徴とする請求項１記載のヘアドライヤ。
【請求項３】
内側ノズルを温度の高い方の空気を吐出するものとし、該内側ノズルを外側ノズルよりも吐出方向に突出してなることを特徴とする請求項２記載のヘアドライヤ。
【請求項４】
内側流路を温度が高い方の空気が流れる内筒と、内筒の下流側に配設された内側ノズルとで構成し、内筒の下流側端部と内側ノズルの上流側端部との間に隙間を形成し、少なくとも内側ノズルを合成樹脂にて形成してなることを特徴とする請求項１〜３のいずれかに記載のヘアドライヤ。
【請求項５】
内筒の下流側端部と内側ノズルの上流側端部とを軸方向に離して上記隙間を形成してなることを特徴とする請求項４記載のヘアドライヤ。
【請求項６】
内側ノズルの上流側端部の内径が内筒の下流側端部の外径以上であることを特徴とする請求項４又は請求項５記載のヘアドライヤ。
【請求項７】
上記空気の吐出方向と同一方向にマイナスイオンを放出するイオン放出部を備えてなることを特徴とする請求項１〜６のいずれかに記載のヘアドライヤ。
【発明の詳細な説明】
【０００１】
【発明の属する技術分野】
本発明は温風と冷風とを同時に吐出し、温風で毛髪の変形を行うと共に冷風で変形した毛髪を固定できるヘアドライヤに関する。
【０００２】
【従来の技術】
従来からヘアドライヤは温風を毛髪に当てることで、寝癖を伸ばしたり、毛髪をカールさせたりする癖付けや毛髪の乾燥に利用されている。ところでヘアドライヤによって発生させた温風のみを毛髪に当てた場合、温風の熱によって水素結合を切断し毛髪を一時的に癖付けすることは可能ではあるが、このように癖付けした状態の毛髪を十分に固定するには、温風により熱した毛髪に冷風を当てて再び水素結合させることが必要である。また温風だけを毛髪に当てた場合には毛髪が過乾燥となり、毛髪がぱさついてまとまりのない状態となってしまい、光が当たった時に乱反射して艶があるように見えず、このような過乾燥を防止する意味でも毛髪に冷風を当てる必要がある。上記ヘアドライヤを用いて例えばスイッチを温風から冷風に切り換えて温風で熱した髪に冷風を当てることは可能ではあるが、この場合、温風を作るヒータの予熱等によって冷風が速やかに吐出されず時間がかかってしまい、またスイッチによる温冷風の切換操作が面倒である。
【０００３】
上記問題を改善するために近年では温風と冷風を異なる流路から吐出するヘアドライヤが提供されている。この種のヘアドライヤは、図３に示すようにヒータ９を内装した内側流路２と、該内側流路２を囲む外側流路３とを有し、両流路２、３の上流側に設けたファン１６により、内側流路２及び外側流路３の夫々の吐出部から温風と冷風とを同時に吐出するものであって、温風と冷風とを同時に吐出することで、毛髪に温風を当てて毛髪の変形や乾燥を行い、この後ヘアドライヤ１′を移動させて、毛髪の温風が当たった部分に冷風を当てて毛髪の固定や、過乾燥の防止を行っていた。（例えば特許文献１）。
【０００４】
しかしながら上記特許文献１に示すヘアドライヤ１′は、各流路２、３の吐出部の先端が細く形成されておらず、冷風や温風を毛髪の所望の部位にスポット的に当てることができない。また特に各流路２、３の吐出部の先端が細くなっていないため、吐出部から吐出される温風と冷風とが混じりやすく、これにより温風の温度は低くなり、冷風の温度は高くなってしまい、温風による毛髪の変形や乾燥、冷風による毛髪の固定や過乾燥の防止を効果的に行えない。さらには上記のように温風と冷風とが混じりやすいため、毛髪の温風が当たる部分と冷風が当たる部分との間に、温風と冷風とが混じった中間温度の風が当たる境界部分ができてしまい、これにより温風が当たった部位にヘアドライヤ１′を移動させて冷風を当てる際には、冷風が当たる前に前述の中間温度の風が当たってしまい、温風を当てた後にすぐに冷風を当てることができず、これによっても冷風による効果が小さくなってしまう。
【０００５】
また上記特許文献１に示すヘアドライヤの両流路２、３の吐出部の夫々の先端は軸方向において面一であるため、この点からも吐出される温風と冷風とが混じりやすく、上記した温風及び冷風による効果が小さい。
【０００６】
【特許文献１】
実開昭５７−１６６８０８号公報
【０００７】
【発明が解決しようとする課題】
本発明は上記の点に鑑みてなされたものであり、その目的とするところは、温度の低い方の空気及び温度の高い方の空気を毛髪の所望の部位に集中的に当てることができ、温度の高い方の空気による毛髪の変形や乾燥、温度の低い方の空気による毛髪の固定や過乾燥の防止を効果的に行えるヘアドライヤを提供することにある。
【０００８】
【課題を解決するための手段】
上記課題を解決するために本発明に係るヘアドライヤは、内側流路２及び該内側流路２を囲む外側流路３を有し、内側流路２を流れる空気と、外側流路３を流れる空気との間に、温度差があるモードを備えたヘアドライヤであって、内側流路２を流れる空気の吐出部を先端が細くなった内側ノズル４とし、外側流路３を流れる空気の吐出部を先端が細くなった外側ノズル５としてなることを特徴とするものである。
【０００９】
このように内側流路２を流れる空気の吐出部を先端が細くなった内側ノズル４とし、外側流路３を流れる空気の吐出部を先端が細くなった外側ノズル５とすることで、両ノズル４、５の夫々から吐出される温度の低い方の空気である冷風と、温度の高い方の空気である温風と、を毛髪の所望の部位にスポット的に当てることができる。また特に、各流路２、３の吐出部の先端を細くすることで、冷風と温風とが混じり難くなり、これにより温風及び冷風の夫々の温度を適切な温度とでき、温風よる毛髪の変形や乾燥、冷風による毛髪の固定や過乾燥の防止を効果的に行える。さらには冷風と温風とが混じり難いため、毛髪における冷風が当たる部分を温風が当たる部分に隣接させることができ、これによりヘアドライヤ１を移動させることで、温風が当たった部位にすぐに冷風を当てることが可能となり、冷風による毛髪の固定や過乾燥の防止をさらに効果的に行える。
【００１０】
また請求項２は請求項１において、両ノズル４、５のうち、温度の高い方の空気を吐出するノズルを他方のノズルよりも吐出方向に突出してなることを特徴とするものである。
【００１１】
このように温度の高い方の空気が吐出されるノズルを他方のノズルよりも吐出方向に突出することで、冷風と温風とがより一層混じり難くなり、これにより温風による毛髪の変形や乾燥、冷風による毛髪の固定や過乾燥の防止をより一層効果的に行える。さらには温度の高い方の空気が吐出されるノズルを突出することで、温風の風量及び風速を充分に維持でき、温風を所望の箇所により一層正確に当てることができ、またこの温風を当てた箇所を基準としてヘアドライヤを移動することで、冷風も所望の箇所に正確に当てることができる。
【００１２】
また請求項３は請求項２において、内側ノズル４を温度の高い方の空気を吐出するものとし、該内側ノズル４を外側ノズル５よりも吐出方向に突出してなることを特徴とするものである。
【００１３】
このように内側ノズル４を温度の高い方の空気を吐出するものとし、該内側ノズル４を外側ノズル５よりも吐出方向に突出することで、温度の高い方の空気を吐出するノズルを外側ノズル５とし、該外側ノズル５を内側ノズルよりも突出させたものと比して、温風と冷風とが一層混じり難くなり、温風よる毛髪の変形や乾燥、冷風による毛髪の固定や過乾燥の防止をより一層効果的に行え、さらには温風の風量及び風速を充分に維持する効果も向上する。
【００１４】
また請求項４は請求項１〜３のいずれかにおいて、内側流路２を、温度が高い方の空気が流れる内筒６と、内筒６の下流側に配設された内側ノズル４とで構成し、内筒６の下流側端部と内側ノズル４の上流側端部との間に隙間Ｓを形成し、少なくとも内側ノズル４を合成樹脂にて形成してなることを特徴とするものである。
【００１５】
このように内側ノズル４を耐熱構造を有する部材とすることなく安価な合成樹脂にて形成することでコストダウンが図れ、しかも内筒６の下流側端部と内側ノズル４の上流側端部との間に隙間Ｓを形成することで、内側ノズル４の上流側端部に外側流路を流れる温度の低い方の空気を当てることができ、これにより内側ノズル４を耐熱性のない安価な合成樹脂にて形成したにも関わらず、温度の高い方の空気によって前記内側ノズル４が変形したり、溶けたりすることを防止できる。
【００１６】
また請求項５は請求項４において、内筒６の下流側端部と内側ノズル４の上流側端部とを軸方向に離して上記隙間Ｓを形成してなることを特徴とするものである。
【００１７】
このように、内筒６の下流側端部と内側ノズル４の上流側端部とを軸方向に離して上記隙間Ｓを形成することで、内側ノズル４の上流側端部は内筒６よりも下流側に配されることとなり、これにより内側ノズル４の上流側端部に外側流路を流れる温度の低い方の空気をより多く当てることができ、内側ノズル４の変形や溶けをより一層防止できる。
【００１８】
また請求項６は請求項４又は請求項５において、内側ノズル４の上流側端部の内径が内筒６の下流側端部の外径以上であることを特徴とするものである。
【００１９】
このように内側ノズル４の上流側端部の内径を内筒６の下流側端部の外径以上とすることで、内側ノズル４の上流側端部は温度の低い方の空気が流れる箇所に位置することとなり、温度の低い方の空気をより一層内側ノズル４の上流側端部に当てることができ、結果、温度の高い方の空気によって前記合成樹脂にて形成された内側ノズル４が変形したり、溶けたりすることをより一層防止できる。またこのように内側ノズル４の上流側端部の内径を内筒６の下流側端部の外径以上に大きくすることで、温度の高い方の空気から温度の低い方の空気への熱拡散を抑えることができ、温風よる毛髪の変形や乾燥、冷風による毛髪の固定や過乾燥の防止をより一層効果的に行える。
【００２０】
また請求項７は請求項１〜６のいずれかにおいて、上記空気の吐出方向と同一方向にマイナスイオンを放出するイオン放出部７を備えてなることを特徴とするものである。
【００２１】
このように、空気の吐出方向と同一方向にマイナスイオンを放出するイオン放出部７を備えることで、イオン放出部７から放出されたマイナスイオンを毛髪に当てることで、毛髪の艶出しを行える。
【００２２】
【発明の実施の形態】
以下本発明の実施形態の一例を図１及び図２に基づいて説明する。ヘアドライヤ１の内部には、上流側端部の開口がヘアドライヤ１の外部に開口する外気吸込口８と連通する内側流路２と、同じく上流側端部の開口が前記外気吸込口８に連通し且つ内側流路２に隣接して内側流路２を囲む外側流路３と、を設けてあり、両流路２、３は二重円筒構造となっている。外側流路３を流れる空気の吐出部及び内側流路を流れる空気の吐出部は同一方向に開口し、外側流路３の吐出部は前記内側流路２の吐出部を吐出部を囲んでいる。ヘアドライヤ１の内部の両流路２、３よりも上流側には、外気吸込口８から外気を吸い込んで両流路２、３の夫々に送り、各流路２、３の吐出部から空気を同時に吐出する送風手段を設けてあり、そしてヘアドライヤ１は、前記送風手段により内側流路２に流れる空気と、同じく前記送風手段により外側流路３に流れる空気と、の間に温度差があるモードを備えている。詳述すると内側流路２の途中にはヒータ９を設けてあり、外側流路３にはヒータ９を設けておらず、これにより内側流路２にはヒータ９により加温された温度の高い方の空気が流れ、外側流路３にはヒータ９で加温されていない温度の低い方の空気が流れることとなる。
【００２３】
以下上記ヘアドライヤ１の具体的構成について説明する。図１（ａ）に示すようにヘアドライヤ１は、後端部に後方に開口する外気吸込口８及び前端部に前方に開口する開口部１０を備えた円筒状のハウジング１１で装置本体の外殻を構成している。外気吸込口８及び開口部１０はハウジング１１の内部に設けた風洞部１２にて連通接続してあり、本例の風洞部１２は円筒状のハウジング１１の内周面部である。ハウジング１１の後部にはハンドル部１２を下方に一体に突設している。ハンドル部１２の内部の上端には後述するイオン発生部１４に高電圧を印加する高電圧発生部１５を設けている。なお、図中１３は電源供給用コードである。
【００２４】
風洞部１２の内部には、中心線が風洞部１２の中心線上に位置する円筒状の内筒６を設けてあり、該内筒６と風洞部１２とで二重円筒構造が形成されている。
内筒６は耐熱構造を有しており、例えば合成樹脂により形成された円筒状の壁部材と、壁部材の内周側面に積層したマイカシートのような耐熱部材とで構成している。内筒６の下流側の端は風洞部１２の下流側の端と軸方向において略同じ位置にあり、詳しくは風洞部１２の下流側の端よりも軸方向のやや上流側に位置している。
【００２５】
内筒６よりも上流側の風洞部１２には送風手段として軸流型のプロペラファンのようなファン１６を内装してあり、ファン１６の軸芯は内筒６の中心線の延長線上にある。ファン１６はハウジング１１内部に設けたモータ１７により回転駆動するものであって同心円上に均一に風を流しやすい特徴を有している。
【００２６】
ハウジング１１の開口部１０にはハウジング１１と別体の二重円筒構造を有するノズル部材１８を取付けている。なおノズル部材１８は、ハウジング１１に着脱自在に取付けたものであっても良いし、またハウジング１１と一体に形成されたものであっても良いものとする。
【００２７】
ノズル部材１８は、外側ノズル５と、外側ノズル５の内側に設けた内側ノズル４とからなり、内側ノズル４と外側ノズル５は軸方向において重複する部分を有している。上記内側ノズル４と外側ノズル５とは合成樹脂により一体に形成されている。これは内側ノズル４及び外側ノズル５を前述した内筒６のように耐熱構造を有する部材により形成せずに安価な合成樹脂にて形成することで、コストダウンが図れるからである。
【００２８】
そして本例では前述した内筒６の内部と、該内筒６の下流側に配設した内側ノズル４の内部と、で内側流路２を構成し、内筒６と風洞部１２の間の空間部と、外側ノズル５と内側ノズル４との間の空間部と、で外側流路３を構成し、内側ノズル４を内側流路２を流れる空気の吐出部とし、外側ノズル５を外側流路を流れる空気の吐出部としている。さらには内筒６にヒータ９を内装することで、内側流路２を温度の高い方の空気（以下高温の空気と称す）が流れる流路とし、外側流路３を温度の低い方の空気（以下低温の空気と称す）が流れる流路としている。
【００２９】
ノズル部材１８について詳述すると、図２に示すように内側ノズル４及び外側ノズル５は下流側の端から先端側（下流側）に行く程、内径及び外径が小さくなるように形成されており、先端が細くなっている。内側ノズル４の中心線は外側ノズル５の中心線上に位置し、またこれら内側ノズル４及び外側ノズル５の中心線は内筒６の中心線の延長線上に位置している。外側ノズル５の上流側端部は風洞部１２の下流側端部（開口部１０）に連通接続してあり、また内筒６の下流側に配設された内側ノズル４の上流側端部と内筒６の下流側端部とは軸方向に離してあり、内筒６の下流側端部と内側ノズル４の上流側端部との間に隙間Ｓを形成している。両ノズル４、５のうち、高温の空気を吐出する内側ノズル４はその先端部が低温の空気を吐出する外側ノズル５の先端よりも空気の吐出方向に突出している。また図２に示すように内側ノズル４の上流側端部の内径（φＸ）は内筒６の下流側端部の外径（φＹ）以上であり、外側ノズル５の上流側の端の径は開口部１０の径と同じである。
【００３０】
またハウジング１１には内側ノズル４から吐出される高温の空気である温風及び外側ノズル５から吐出される低温の空気である冷風の吐出方向と同一方向にマイナスイオンを放出するイオン放出部７を設けている。本例のイオン放出部７は、外側流路３に配設した放電によりマイナスイオンを発生させるイオン発生部１４からなり、イオン発生部１４にて発生させたマイナスイオンを外側流路３を流れる低温の空気と共に外側ノズル５よりマイナスイオンを放出するものである。
勿論上記イオン発生部１４によってマイナスイオンを発生させるタイミングは外側流路３に低温の空気が流れている時と同時が望ましい。また本例ではイオン放出部７を上記のイオン発生部１４としたが、例えばイオン放出部７を、上流側端部が外側流路３の途中に連通接続し且つ下流側端部が空気の吐出方向と同一方向に開口するイオン吐出口となったイオン用流路と、該イオン用流路の途中に設けたマイナスイオンを発生するイオン発生部とで構成し、イオン吐出口を空気の流れ方向から見て外側流路３の近傍且つ外側に配置し、イオン発生部にて発生したマイナスイオンをイオン用流路を流れる外側流路３から流入した低温の空気と共にイオン吐出口から毛髪に向けて吐出しても良いものとする。またこの場合、イオン用流路の上流側を外側流路３に連通させず、イオン発生部１４で発生したマイナスイオンを外側ノズル５から吹き出される空気により誘引しても良いものとする。
【００３１】
上記ヘアドライヤ１にて内側ノズル４から高温の空気を吐出し、同時に外側ノズル５から低温の空気を吐出する場合は、図１に示すハンドル部１２に設けた電源スイッチ１９等の操作部を使用者が操作する。操作部が操作されると、操作部に接続された図示しない制御部は上述したヒータ９をＯＮにすると共にモータ１７をＯＮにする。モータ１７の駆動によりファン１６が回転すると、外気吸込口８から風洞部１２内に外気を吸い込み、風洞部１２内に吸い込んだ空気を、内側流路２及び外側流路３の夫々に送り、内側流路２では空気をヒータ９により加熱した後、この加熱された空気を内側ノズル４から吐出し、外側流路３ではヒータ９により空気の加熱を行わずそのまま空気を外側ノズル５（詳しくは外側ノズル５と内側ノズル４の間）から吐出し、これにより高温の空気と、低温の空気とを各ノズル４、５から同時に吐出することができる。そしてこの外側ノズル５から吐出される温風と、該温風と同時に吐出される内側ノズル４から吐出される冷風と、を毛髪に当てることで、まず毛髪の所望の部位に温風を当てて毛髪の変形や乾燥を行い、この後ヘアドライヤ１を移動させて（又は向きを変えて）、前記毛髪の温風が当たった部分に冷風を当てて毛髪の固定や、過乾燥の防止を行い、以下ヘアドライヤ１を移動させて上記の動作を繰り返す。
【００３２】
ここで内側ノズル４及び外側ノズル５は前述したように先端が細くなった形状であるため、冷風及び温風を毛髪の所望する部位に集中的に当てることができる。これにより細やかな毛髪の癖付けを行うことができ、さらには毛髪の所望する部位に当たる冷風及び温風の風量を増やすことができ、温風による毛髪の変形及び冷風による毛髪の固定を効果的に行って癖付けすることができ、また温風による毛髪の乾燥、冷風による毛髪の過乾燥防止も効果的に行うことができる。また特に、外側ノズル５及び内側ノズル４の先端を細くすることで、冷風と温風とが混じり難くなり、温風及び冷風の夫々の温度を適切な温度とでき、上記した温風よる毛髪の変形や乾燥、冷風による毛髪の固定や過乾燥の防止をより一層効果的に行える。さらにはこのように冷風と温風とが混じり難いため、従来のように毛髪の温風が当たる部分と冷風が当たる部分との間に、温風と冷風とが混じった中間温度の風が当たる境界部分ができ難く、毛髪における冷風が当たる部分を温風が当たる部分に隣接させることができ、これによりヘアドライヤ１を移動させることで、温風が当たった部位にすぐに冷風を当てることが可能となり、冷風による毛髪の固定や過乾燥の防止をさらに効果的に行える。また上記では温風が流れるノズルを外側ノズル５によって囲まれる内側ノズル４としてあるので、温風及び冷風を同時に吐出したヘアドライヤ１をどちらの方向に移動させたり、向きを変えても、温風を当てた毛髪に冷風を当てることができる。
【００３３】
また両ノズル４、５のうち、高温の空気を吐出する内側ノズル４を冷風を吐出する外側ノズル５よりも吐出方向に突出することで、冷風と温風とがより一層混じり難くなり、これにより上記した温風による毛髪の変形や乾燥、冷風による毛髪の固定や過乾燥の防止をより一層効果的に行える。またこの場合、温風の風量及び風速を充分に維持でき、温風を所望の箇所により正確に当てることができ、またこの温風を当てた箇所を基準としてヘアドライヤ１を移動することで、冷風も所望の箇所に正確に当てることができる。さらには内側ノズル４を高温の空気を吐出するものとし、該内側ノズル４を外側ノズル５よりも吐出方向に突出することで、高温の空気を吐出するノズルを外側ノズル５としたものと比して、温風と冷風とが一層混じり難くなり、温風による毛髪の変形や乾燥、冷風による毛髪の固定や過乾燥の防止をより一層効果的に行え、さらには温風の風量及び風速を充分に維持する効果も向上する。
【００３４】
また内筒６の下流側端部と内側ノズル４の上流側端部との間に隙間Ｓを形成することで、内側ノズル４の上流側端部に低温の空気を当てることができ、これにより内側ノズル４を耐熱性のない安価な合成樹脂にて形成したにも関わらず、高温の空気やヒータ９の熱によって前記内側ノズル４が変形したり、溶けたりすることを防止できる。さらには内筒６の下流側端部と内側ノズル４の上流側端部とを軸方向に離して上記隙間Ｓを形成することで、内側ノズル４の上流側端部は内筒６よりも下流側に配されることとなり、これにより内側ノズル４の上流側端部に低温の空気をより多く当てることができ、上記の内側ノズル４の変形や溶けをより一層防止できる。
【００３５】
また内側ノズル４の上流側端部の内径を内筒６の下流側端部の外径以上に大きくすることで、内側ノズル４の上流側端部は低温の空気が流れる箇所に位置することとなり、低温の空気をより一層内側ノズル４の上流側端部に当てることができ、結果、高温の空気やヒータ９の熱によって合成樹脂にて形成された内側ノズル４が変形したり、溶けたりすることをより一層防止できる。またこのように内側ノズル４の上流側端部の内径を内筒６の下流側端部の外径以上に大きくすることで、高温の空気から低温の空気への熱拡散を抑えることができ、温風よる毛髪の変形や乾燥、冷風による毛髪の固定や過乾燥の防止をより一層効果的に行える。
【００３６】
また本例では操作部を操作することで、前述したイオン放出部７によって、上記冷風及び温風の吐出と同時にマイナスイオンを毛髪に向けて放出するモードを有している。このモードにてヘアドライヤ１を運転することで、イオン放出部７から放出されたマイナスイオンを毛髪に当てて毛髪の艶を出すことができ、しかもこのマイナスイオンは過乾燥状態となった毛髪に当てられるのではなく、冷風の効果によりぱさつきのなくなった毛髪に当てられるため、マイナスイオンによる艶出し効果がより一層向上する。
【００３７】
ここでマイナスイオンを温風ではなく冷風と共に放出するのは以下の理由による。即ち温風と共にマイナスイオンを放出した場合、マイナスイオンに含まれる水分子が加熱されてしまい、毛髪に当ててもすぐに蒸散してしまい、結果、マイナスイオンによる毛髪の艶出し効果が小さいという問題が生じるのだが、本例ではイオン放出部７にてマイナスイオンを冷風と共に放出しているため、マイナスイオンが温風により加熱され難くて蒸散せず、さらに艶出し効果が向上するのである。
【００３８】
なお上記ヘアドライヤ１は少なくとも、内側流路２を流れる空気と、外側流路３を流れる空気との間に、温度差があるモード、即ち前述した温風及び冷風を同時に吹き出すモードを有していれば良いものとするが、例えばこの温度差があるモードの他に、前述した温風及び冷風と同時にマイナスイオンを放出するモードや、またヒータ９のＯＮ／ＯＦＦ、モータ１７のＯＮ／ＯＦＦ、イオン発生部１４のＯＮ／ＯＦＦを自動的に設定された値に切り換えるその他のモードを有し、操作部の操作によりモードを切り換えられるようにしても構わない。
【００３９】
また本例では外側流路３を低温の空気が流れる流路とし、内側流路を高温の空気が流れる流路としたが、外側流路３にヒータ９を内装して、外側流路３を高温の空気が流れる流路とし、内側流路２を低温の空気が流れる流路としても良いものとする。勿論この場合、外側ノズル５を内側ノズル４よりも吐出方向に突出しても良いものとする。
【００４０】
また、本例のヘアドライヤ１は、各流路２、３にヒータ９を設けるか否かにより各流路２、３に流れる空気が温度差を有するものとしたが、例えば各流路２、３に夫々ヒータ９を設け、該ヒータ９のＯＮ／ＯＦＦの切り換えや、ヒータ９の出力変化により、各流路２、３に流れる空気が温度差を有するものとしても良い。
【００４１】
【発明の効果】
以上説明したように本発明のヘアドライヤは、温度の低い方の空気及び温度の高い方の空気を毛髪の所望の部位に集中的に当てることができ、温度の高い方の空気による毛髪の変形や乾燥、温度の低い方の空気による毛髪の固定や過乾燥の防止を効果的に行うことができる。
【図面の簡単な説明】
【図１】（ａ）は本発明の実施形態の一例を示すヘアドライヤの断面図であり、（ｂ）は（ａ）のＡ―Ａ線断面図である。
【図２】同上の要部拡大図である。
【図３】従来のヘアドライヤを示す断面図である。
【符号の説明】
Ｓ  隙間
１  ヘアドライヤ
２  内側流路
３  外側流路
４  内側ノズル
５  外側ノズル
６  内筒
７  イオン放出部
【図１】
2005000546.tif 000003
【図２】
2005000546.tif 000004
【図３】
2005000546.tif 000005